(57)【特許請求の範囲】
【請求項１】
留め具本体と、
前記留め具本体に軸回転可能に取り付けられた回転カムグリッパーと、
前記留め具本体と一体であり、前記回転カムグリッパーが前記留め具本体の第１の保持面に保持されるように前記回転カムグリッパーに張力を与えるよう構成されたばね腕部とを備える自動ロック式留め具であって、
軸受け穴が、前記回転カムグリッパーに非対称に配置され、
前記回転カムグリッパーが第１の方向に回転したときに、前記回転カムグリッパーが前記ばね腕部の方へ延び、前記ばね腕部を曲げるように前記回転カムグリッパーが構成されており、
前記回転カムグリッパーが第１のチャネルを有し、前記第１のチャネルは前記ばね腕部と接触しており、
前記第１のチャネルは停止部で終端しており、前記停止部は前記回転カムグリッパーが回転し過ぎることを防止するように構成されており、
前記自動ロック式留め具は、キャッチリップを前記ばね腕部に含み、前記キャッチリップは前記第１のチャネルに合う大きさに作られていて、前記第１のチャネルにあり、前記キャッチリップは前記回転カムグリッパーおよび前記回転カムグリッパーの回転方向に垂直に延びるように構成されていて、前記ばね腕部を前記回転カムグリッパーから引き離すことなく前記回転カムグリッパーを前記留め具本体から取り去ることができないようになっている、自動ロック式留め具。
【請求項２】
前記留め具本体の第１の側はひも案内用チャネルを含み、前記ひも案内用チャネルは、ひもを切り欠き部の上を通して前記回転カムグリッパーと前記第１の保持面との間の保持領域へと案内するように構成されている、請求項１に記載の自動ロック式留め具。
【請求項３】
前記切り欠き部が前記留め具本体の穴に配置されている、請求項２に記載の自動ロック式留め具。
【請求項４】
前記回転カムグリッパーはほぼ楕円の形状を有する、請求項３に記載の自動ロック式留め具。
【請求項５】
前記回転カムグリッパーが軸受け穴を含み、前記軸受け穴は、前記回転カムグリッパーに非対称に配置してあり、前記留め具本体から延びる軸が入るように構成されている、請求項４に記載の自動ロック式留め具。
【請求項６】
前記自動ロック式留め具は、前記自動ロック式を物体に引っ掛けるためのフック部分を含む、請求項５に記載の自動ロック式留め具。
【請求項７】
前記フック部分がカラビナゲートを含む、請求項６に記載の自動ロック式留め具。
【請求項８】
前記非対称な取り付けは、前記回転カムグリッパーが前記第１の保持面を通り過ぎて回転することを前記回転カムグリッパーと前記第１の保持面との間の接触によって防止する、請求項７に記載の自動ロック式留め具。
【請求項９】
前記回転カムグリッパーが、前記第１の保持面と相互作用をする部分に第２の保持面を有する、請求項８に記載の自動ロック式留め具。
【請求項１０】
留め具本体と、
前記留め具本体に軸回転可能に取り付けられた回転カムグリッパーと、
前記留め具本体と一体であり、前記回転カムグリッパーが前記留め具本体の第１の保持面に保持されるように前記回転カムグリッパーに張力を与えるよう構成されたばね腕部であって、前記回転カムグリッパーが非対称に取り付けられており、前記回転カムグリッパーが第１の方向に回転したときに、前記回転カムグリッパーが前記ばね腕部の方へ延び、前記ばね腕部を曲げるように前記回転カムグリッパーが構成されているばね腕部と、
前記留め具本体の穴に配置された切り欠き部と、
前記留め具本体の穴に配置されている切り欠き部と、を備える自動ロック式留め具であって、
前記自動ロック式留め具は、キャッチリップを前記ばね腕部に含み、前記キャッチリップは前記第１のチャネルに合う大きさに作られていて、前記第１のチャネルにあり、前記キャッチリップは前記回転カムグリッパーおよび前記回転カムグリッパーの回転方向に垂直に延びるように構成されていて、前記ばね腕部を前記回転カムグリッパーから引き離すことなく前記回転カムグリッパーを前記留め具本体から取り去ることができないようになっており、
前記回転カムグリッパーが軸受け穴を含み、前記軸受け穴は、前記回転カムグリッパーに非対称に配置してあり、前記留め具本体から延びる軸が入るように構成されている、自動ロック式留め具。
【請求項１１】
前記回転カムグリッパーは軸受け穴を含み、前記軸受け穴は、前記回転カムグリッパーに非対称に配置され、前記留め具本体から延びる軸が入るように構成されている、請求項１０に記載の自動ロック式留め具。
【発明の詳細な説明】
【技術分野】
【０００１】
多くの場合に、迅速かつ効果的にロープの端部を物に取り付けるのに使用できることは有益である。普通、使用者はロープを縛らなければならないが、これには、効果的な結び目についての知識が必要である。このような場合、使用者は、縛った後に簡単に張力を加えたり、結び目を簡単に解いたりすることができない。したがって、張り方や取り付け方が改善され、使用者が何ら重大な措置を講ずる必要のないデバイスが必要とされている。
【発明の概要】
【課題を解決するための手段】
【０００２】
一実施形態では、自動ロック式留め具は、留め具本体と、回転カムグリッパー（ｃａｍ  ｇｒｉｐｐｅｒ）とを含み、回転カムグリッパーは留め具本体に軸回転可能に取り付けられている。自動ロック式留め具はばね腕部をさらに含み、このばね腕部は留め具本体と一体であり、回転カムグリッパーが留め具本体の第１の保持面に保持されるように回転カムグリッパーに張力を与えるよう構成されている。任意選択で、回転カムグリッパーは非対称に取り付けられ、回転カムグリッパーが第１の方向に回転したときに、回転カムグリッパーがばね腕部の方へ延び、ばね腕部を曲げるように回転カムグリッパーが構成される。一構成では、回転カムグリッパーが第１のチャネルを有し、この第１のチャネルはばね腕部と接触している。別の構成では、第１のチャネルが停止部で終端しており、この停止部は回転カムグリッパーが回転し過ぎることを防止するように構成されている。一代替例では、自動ロック式留め具がキャッチリップ（ｃａｔｃｈ  ｌｉｐ）を含み、キャッチリップはチャネルに合う大きさに作られており、キャッチリップは回転カムグリッパーおよび回転カムグリッパーの回転方向に垂直に延びるように構成されていて、ばね腕部を回転カムグリッパーから引き離すことなく回転カムグリッパーを留め具本体から取り去ることができないようになっている。別の代替例では、留め具本体の第１の側がひも案内用チャネルを含み、ひも案内用チャネルは、ひもを切り欠き部の上を通して回転カムグリッパーと第１の保持面との間の保持領域へと案内するように構成されている。任意選択で、切り欠き部が留め具本体の穴に配置されている。一代替例では、回転カムグリッパーがほぼ楕円の形状を有する。任意選択で、ほぼ楕円の形状は主軸の第１の端部に尖らせ、幅を狭くした端部を有する。一代替例では、回転カムグリッパーが軸受け穴を含み、この軸受け穴は、回転カムグリッパーに非対称に配置してあり、留め具本体から延びる軸が入るように構成されている。別の代替例では、軸受け穴は、尖らせ、幅を狭くした端部から遠位にある。あるいは、自動ロック式留め具は、自動ロック式留め具を物体に引っ掛けるためのフック部分を含む。任意選択で、フック部分はカラビナゲート（ｃａｒａｂｉｎｅｅｒ  ｇａｔｅ）を含む。別の代替例では、非対称な取り付けは、回転カムグリッパーが第１の保持面を通り過ぎて回転することを回転カムグリッパーと第１の保持面との間の接触によって防止する。別の構成では、回転カムグリッパーが、第１の保持面と相互作用をする部分に第２の保持面を有する。任意選択で、ひもを第１の方向に引っ張ると、回転カムグリッパーが第１の保持面の方へ回転してひもをさらに保持するような向きに回転カムグリッパーが向けられている。
【０００３】
一実施形態では、ひもを動かなくする方法が、留め具本体を含む自動ロック式留め具と、留め具本体に軸回転可能に取り付けられた回転カムグリッパーとを用意するステップを含む。自動ロック式留め具は、留め具本体と一体であり、回転カムグリッパーに張力を与えることで回転カムグリッパーを保持し、留め具本体の第１の保持面に押し付けるように構成されたばね腕部を含む。回転カムグリッパーを含む自動ロック式留め具は、非対称に取り付けられている。回転カムグリッパーが第１の方向に回転すると、回転カムグリッパーがばね腕部の方へ延び、ばね腕部を曲げるように回転カムグリッパーが構成されている、および、留め具本体の穴に配置された切り欠き部。この方法は、ひもを切り欠き部の上に通し、かつ、穴に通すステップをさらに含む。
【０００４】
この方法は、ひもを回転カムグリッパーおよび第１の保持面の間に第１の方向に通すステップをさらに含む。この方法は、ひもを第１の方向とは逆の第２の方向に引っ張るステップをさらに含む。この方法は、回転カムグリッパーおよび第１の保持面でひもを所定位置に自動的に固定するステップであって、「自動的」とは使用者が自動ロック式留め具に触る必要がないことを意味するステップをさらに含む。
【０００５】
別の実施形態では、自動ロック式留め具が、留め具本体と、留め具本体に軸回転可能に取り付けられた回転カムグリッパーとを含む。自動ロック式留め具はばね腕部を含み、このばね腕部は留め具本体と一体であり、回転カムグリッパーが留め具本体の第１の保持面に保持されるように回転カムグリッパーに張力を与えるよう構成されている。回転カムグリッパーは非対称に取り付けられており、回転カムグリッパーが第１の方向に回転したときに、回転カムグリッパーがばね腕部の方へ延び、ばね腕部を曲げるように回転カムグリッパーが構成されており、および、留め具本体の穴に配置された切り欠き部。任意選択で、自動ロック式留め具はキャッチリップを含み、キャッチリップはチャネルに合う大きさに作られており、キャッチリップは回転カムグリッパーおよび回転カムグリッパーの回転方向に垂直に延びるように構成されていて、ばね腕部を回転カムグリッパーから引き離すことなく回転カムグリッパーを留め具本体から取り去ることができないようになっている。あるいは、回転カムグリッパーは軸受け穴を含み、この軸受け穴は、回転カムグリッパーに非対称に配置され、留め具本体から延びる軸が入るように構成されている。
【０００６】
別の実施形態では、自動ロック式留め具が、留め具本体と、留め具本体に軸回転可能に取り付けられた第１の回転カムグリッパーとを含む。自動ロック式留め具は、留め具本体と一体であり、第１の回転カムグリッパーが留め具本体の第１の保持面に保持されるよう第１の回転カムグリッパーに張力を与えるように構成された第１のばね腕部をさらに含む。第１の回転カムグリッパーが非対称に取り付けられていて、第１の回転カムグリッパーは、第１の回転カムグリッパーが反時計方向に回転したときに、回転カムグリッパーが第１のばね腕部の方へ延び、第１のばね腕部を曲げるように、かつ、第１の回転カムグリッパーが時計方向に回転したときに、第１の回転カムグリッパーが第１の保持面を押圧するように構成されている、および、留め具本体の穴に配置されている切り欠き部。自動ロック式留め具は、留め具本体に軸回転可能に取り付けられた第２の回転カムグリッパーをさらに含む。自動ロック式留め具は、留め具本体と一体であり、第２の回転カムグリッパーが留め具本体の第２の保持面に保持されるように第２の回転カムグリッパーに張力を与えるように構成されている第２のばね腕部を含む。第２の回転カムグリッパーは非対称に取り付けられていて、第２の回転カムグリッパーは、第２の回転カムグリッパーが時計方向に回転したときに、第２の回転カムグリッパーが第２のばね腕部の方へ延び、第２のばね腕部を曲げるように、かつ、第２の回転カムグリッパーが反時計方向に回転したときに、第２の回転カムグリッパーが第２の保持面を押圧するように構成されていて、第１および第２のカムグリッパーが留め具本体の反対の端部に向けられている。
【０００７】
以下、図面を簡単に説明する。
【図面の簡単な説明】
【０００８】
【図１】ロープまたはひものための自動ロック式フックの実施形態であって、回転カムに作用する一体のばねがあるものを図示する斜視図である。
【図２】図１のロープまたはひものための自動ロック式フックを図示する分解斜視図である。
【図３】ロープまたはひものための自動ロック式フックの別の実施形態であって、回転カムとボディとの間にねじりばねがあるものを図示する分解斜視図である。
【図４】図１のロープまたはひものための自動ロック式フックであって、回転カムが引っ掛かる位置へ偏らせているものを図示する立面側面図である。
【図５】図１のロープまたはひものための自動ロック式フックであって、回転カムが開位置へ開いているものを図示する立面側面図である。
【図６】図１のロープまたはひものための自動ロック式フックであって、ロープまたはひもがブロックと回転カムとの間に挿入されているものが図示されている斜視図である。
【図７】ロープまたはひものための自動ロック式フックのさらに別の実施形態であって、任意選択でのゲートを有するフックがあるものを図示する立面図である。
【図８】ロープまたはひものための自動ロック式フックのさらに別の実施形態であって、フックを取り付けのための別の手段と置き換えたものを図示する斜視図である。
【図９】自動ロック式フックの代替実施形態を図示する側面図である。
【図１０】図９の自動ロック式フックの反対側の側面図である。
【図１１】カムとゲートを取り去った図９の自動ロック式フックを示す図である。
【図１２】図９の自動ロック式フックのカムの側面図である。
【図１３】図１２のカムの反対側の側面図である。
【図１４】自動ロック式留め具の別の実施形態を示す図である。
【図１５】使用中の図１４の自動ロック式留め具を示す図である。
【図１６】使用中の図１４の自動ロック式留め具を示す図である。
【図１７】自動ロック式留め具の別の実施形態を示す図である。
【発明を実施するための形態】
【０００９】
特定の専門用語を便宜のためだけに本明細書において使用しているが、自動ロック式留め具またはフックについての限定とみなしてはならない。図面において、同一の参照文字がいくつかの図を通して同じ要素を示すために採用されている。
【００１０】
用語「右」、「左」、「前」および「後」は言及をしている図面での方向を示している。用語「内側へ」および「外側へ」は、それぞれ、自動ロック式留め具および自動ロック式留め具で示されている部品の幾何学的中心に向かう、または、離れる方向を言う。専門用語には、上記に特に触れた用語、その用語の派生語、および、同様に重要な用語が含まれる。
【００１１】
同様の参照番号は、さまざまな図面を通して、かつ、特に以下に詳述する図の各々に関して、同様または対応する部分を示す。
【００１２】
図１〜１３に図示されているように、ロープまたはひものための自動ロック式フックが開示されている。自動ロック式フックは、フックまたは他の取り付けデバイスが組み込まれており、ロープの力の大部分が本体１の固定部分で吸収されるように本体１の周りにロープを折り曲げる。本体１の周りに折り曲げられたロープはまた、結びつけられている荷重から離れる方向にロープをきつく引っ張るのに役立つ。フックよりはむしろ、他の取り付け手段が本開示の範囲内にあるという点に留意しなければならない。
【００１３】
図１は、自動ロック式留め具またはフックの第１の実施形態を示す。自動ロック式フックは、３つの主要な構成要素から構築されている。自動ロック式フックは、第１にボス７に取り付けられた回転カム２を備えている。ボス７は軸と呼ばれることもある。回転カムは、回転すると、固定ブロック５と回転カム２との間の隙間を小さくしたり、大きくしたりする。ロープが隙間に入っていると、固定ブロック５と回転カム２との間の空間を通るようにロープ４を引っ張ると、この隙間が小さくなり、これにより、ロープを所定位置に解放可能に固定する。回転カム２には、ロープまたはひもを掴み、そしてさらにロープまたはひもが滑って隙間を通ってしまうことがないようにするための複数の歯部があってもよい。図２は、カムがフック本体から取り外されたところを示す。
【００１４】
さらには、自動ロック式フックは、回転カム２と本体１との間にばね機構を有する。ばね機構は、本体１と一体のばね３のこともあるし、また、ばね機構は金属製の捻りばねのこともある。ばね機構は回転カム２を作動させ、回転カム２をロープを掴む閉じた位置へ押し動かす。ばね３は、図示のように、本体１に組み込まれているが、図３に示されているように別個のばね６を組立体に含めることもできる。
【００１５】
別の実施形態では、自動ロック式フックの本体１が金属またはプラスチックを機械加工または成形することによって構築される。回転カム２もまた、金属またはプラスチックの押し出し成形によって作ることができる。したがって、装置全体が２つの部品を押し出し成形することによって作られていてもよい。図４はかみ合った構成のカム８を示し、図５は解除した構成のカム８、曲がったばね３、および、作用点（ｌｅｖｅｒａｇｅ  ｐｏｉｎｔ）１０、および、ひも用チャネル９を示す。フック１１もまた見ることができる。
【００１６】
図６は、フック１３が通る鳩目を有する防水シート１２を縛り付けるのに使用している自動ロック式フックを示す。ひも１５は、使用者が示されている矢印の方向に引っ張ることができる。この場合、カムは自動的に外れ、ロープの部分１４が増える一方でロープの部分１６を減らすことができ、これにより、張力が増す。カムは、ひも１５を放すと、カムを引っ張るロープの摩擦力とばねのために自動的に固定する。
【００１７】
図７および８は、自動ロック式フックの代替実施形態を示す。図７は、カム８を含むカラビナゲート１７を示す。図８は、フックの代替案を示すもので、この代替案は、ストラップ１９を組み込むように構成された本体部分１８を含んでいる。さまざまな連結器具をフックまたはストラップ機構の所定位置に組み込むことができる。
【００１８】
図９〜１３は、自動ロック式フック１００の別の実施形態を示す。自動ロック式フック１００は、前の実施形態との類似点が数多くある。自動ロック式フック１００は、さまざまなベルト、ループ、ロープ、または、物体に引っ掛けられるようにするフック部分１１０を含む。フック部分１１０は、切り欠き部１２０に嵌るワイヤラッチ（ｗｉｒｅ  ｌａｔｃｈ）１１５で閉じる。受入穴１２２には、ワイヤラッチ１１５を入れることができる。ワイヤラッチ１１５は、切り欠き部１２０に対してワイヤラッチ１１５が閉じたままとなるように曲げられている。穴１２５は、ロープまたはひもを通すために設けられている。面１２８は、保持面１２９と対向していて、ロープまたはひもを自動ロック式フック１００のカムシステム内で固定できるようにする。保持面１２９は、カムグリッパー１３０の一部である。カムグリッパーの本体は、停止部１５０を有する溝部１４５を含み、溝部１４５は、キャッチリップ１５５を有するばね１４０と連結している。ばね１４０は、本実施形態では、まっすぐな腕状ばねである。ばね１４０は、自動ロック式フック１００の本体と一体であり、示されている実施形態では、同一物として成形されている。カムグリッパー１３０の形状は楕円形であり、回転すると、ばね１４０を押圧し、ばね１４０を自動ロック式フック１００の本体から遠ざけるように曲げる。キャッチリップ１５５は、溝部（またはチャネル）１４５に沿って停止部１５０に達するまでスライドする。キャッチリップ１５５はまた、カムグリッパー１３０が自動ロック式フック１００の本体から取り去られたり、引き離されたりしないように機能する。キャッチリップ１５５は、カムグリッパー１３０が引き離されることがないように、ばね１４０の表面から延びている。
【００１９】
図１０は、自動ロック式フック１００の逆側を示す。ここでは、成形カットアウト（ｃｕｔｏｕｔ）１６０を見ることができる。このカットアウト１６０により成形を容易にしたり、プラスチックの使用量を減らしたりすることができる。チャネル１６５により、ひもを穴１２５に通し、所定位置で張ったときに、ひもの位置を調整することができる。
【００２０】
図１１は、カムグリッパー１３０を取り去った自動ロック式フック１００を示す。ここでは、アクセル２１０をカットアウト２２０とともに見ることができる。カムグリッパー１３０は、このアクセルに嵌められて、回転することで保持するように作用する。図１２は、カムグリッパー１３０を拡大した図を示す。また、図１３は、カムグリッパー１３０の後面図を与えるものである。穴３１０は、アクセル２１０の周りに嵌められ、カムグリッパー１３０が軸回転の動きをできるようにする。カットアウト３２０によりプラスチックを節約し、かつ、成形を容易にできる。
【００２１】
使用時には、自動ロック式フック１００のカムグリッパー１３０を含まない側からひもを穴１２５に通し、ロープが十分に堅ければ、次にカムグリッパー１３０に押し通す。あるいは、カムグリッパー１３０を使用者が動かし、ひもを前進させるための空きを面１２８とグリッパー面１２９との間に設けることであってもよい。ひもの長い方の端は、カムグリッパー１３０とは反対の側になければならない。これは、ひもが引っ張られたときに、摩擦によりカムグリッパー１３０が引っ張られ、面１２８の方へ回転するようになり、保持を増大させられるからである。もし逆向きであれば、または、最初に穴１２５を通っていなければ、摩擦によりカムグリッパー１３０が引っ張られて開くので、引っ張ることにより外れるようになる。カムグリッパー１３０を解放するには、使用者はただばね１４０を後へ引っ張るだけであり、この結果、キャッチリップ１５５がチャネル１４５と組み合うことによってカムグリッパー１３０の解放に抵抗することはない。穴１２５はまた、穴１２５およびカムグリッパー１３０を通ったひもを張るためのピボットポイント（ｐｉｖｏｔ  ｐｏｉｎｔ）となることもできる。穴１２５は、てこの作用点になり、使用者がひもを引っ張ってカムグリッパー１３０に通すと、張力を解放する。使用者がひもを放すと、ひもの張力およびばね１４０により、カムグリッパー１３０が保持するようになる。使用者は、引っ張って、放して、カムグリッパー１３０にひもを保持させて、そして、再び強く引っ張って張力を増すことによって、このようにしてラチェット式に自動ロック式フック１００を使用することができる。
【００２２】
図１４は、自動ロック式留め具の他の実施形態を示す。このバージョンは、デバイス４００の両側に１つずつ、２つのカム４３０Ａ、４３０Ｂを含む。デバイス４００は外側にまっすぐなばね４４０を含み、ばね４４０には、カム４３０Ａ、４３０Ｂの解放を防ぐキャッチリップ４５５がある。このバージョンでは、一方のカム４３０Ａが解放タブ４３１を有する。カムは、チャネル４４５および停止部４５０を含んでいてもよい。前に示したひものブロック部とは対称的に、より細い保持面４３２、４３３が含まれている。デバイスの一方の側において、カム４３０Ｂが穴４９１と作用しあって、前述したようにひもを張れるようにする。この側面はまた、補足的に縛るか、または吊すための溝穴４９０も含む。解放タブ４３１がある反対側のカム４３０Ａは、布、生地、または、防水シートに取り付けられるように設計されている。例えば、カム４０３Ａはテントまたは同様な防水シートとともに使用してもよい。本体領域４９３は穴を含まないが、これは本体領域４９３が布地を掴むためのものだからである。代替実施形態では、カム側が似通った物であってもよく、両方とも穴を有することであってもよい。カム４３０Ａは、カム４３０Ｂとは逆の構成を有する。カム４３０Ｂでは、ロープをデバイスからカム４３０Ｂと同じ側で引っ張ると、カムが解放になる。ロープを反対側で引っ張ると、カム４３０Ｂが保持をする。換言すれば、カム４３０Ｂが時計方向に回ると、ひもを保持するようになり、反時計方向に回ると、ひもを解放するようになる。これに対して、カム４３０Ａは、反時計方向の回転で保持するようになり、時計方向の回転で解放するようになる。図１５は、デバイスが、テントで使用する場合のように防水シートおよびひもを保持するために使用されるところを示す。図１６は、フックに掛けられていて、穴４９０で支えられているデバイス４００を示しており、１片の布地が反対側で保持されている。このようにして、このデバイスは布または他の品物を吊すのに使用できる。
【００２３】
図１７は、金属製のばね腕部１４０を利用した自動ロック式フックの代替実施形態を示す。この金属製のばね腕部は、カラビナゲートと同じ方法で取り付けられていてもよく、カム１３０に力を加えることによって上述したばね腕部１４０と同様に機能する。明らかに、さまざまな外部腕部型ばね、および、内部ばねを使用することができる。
【００２４】
具体的な実施形態を上述した詳細な説明に詳しく記載し、添付図面に図示したが、それらの詳細に対するさまざまな修正例および代替例を、開示したものが総合的に教えるところ、および、開示したものの幅広い創意に富んだ概念を考慮して創り出せる、ということを当業者は理解するであろう。したがって、本開示の範囲が本明細書に開示された特定の例および実行例に限定されず、添付した特許請求の範囲によって定義される本開示の趣旨および範囲に入る修正例、および、そのありとあらゆる均等物を包含しようとするものであると解される。特定の実施形態を示したが、各連結器具の特徴は、実施形態間で相互に交換してもよいことに留意しなければならない。
以上説明したように、本発明は以下の形態を有する。
［形態１］
留め具本体と、
前記留め具本体に軸回転可能に取り付けられた回転カムグリッパーと、
前記留め具本体と一体であり、前記回転カムグリッパーが前記留め具本体の第１の保持面に保持されるように前記回転カムグリッパーに張力を与えるよう構成されたばね腕部とを備える自動ロック式留め具。
［形態２］
前記回転カムグリッパーが非対称に取り付けられていて、前記回転カムグリッパーが第１の方向に回転したときに、前記回転カムグリッパーが前記ばね腕部の方へ延び、前記ばね腕部を曲げるように前記回転カムグリッパーが構成されている、形態１に記載の自動ロック式留め具。
［形態３］
前記回転カムグリッパーが第１のチャネルを有し、前記第１のチャネルは前記ばね腕部と接触している、形態２に記載の自動ロック式留め具。
［形態４］
前記第１のチャネルは停止部で終端しており、前記停止部は前記回転カムグリッパーが回転し過ぎることを防止するように構成されている、形態３に記載の自動ロック式留め具。
［形態５］
前記自動ロック式留め具はキャッチリップを含み、前記キャッチリップは前記チャネルに合う大きさに作られており、前記キャッチリップは前記回転カムグリッパーおよび前記回転カムグリッパーの回転方向に垂直に延びるように構成されていて、前記ばね腕部を前記回転カムグリッパーから引き離すことなく前記回転カムグリッパーを前記留め具本体から取り去ることができないようになっている、形態４に記載の自動ロック式留め具。
［形態６］
前記留め具本体の第１の側はひも案内用チャネルを含み、前記ひも案内用チャネルは、ひもを切り欠き部の上を通して前記回転カムグリッパーと前記第１の保持面との間の保持領域へと案内するように構成されている、形態５に記載の自動ロック式留め具。
［形態７］
前記切り欠き部が前記留め具本体の穴に配置されている、形態６に記載の自動ロック式留め具。
［形態８］
前記回転カムグリッパーはほぼ楕円の形状を有する、形態７に記載の自動ロック式留め具。
［形態９］
前記ほぼ楕円の形状は主軸の第１の端部に尖らせ、幅を狭くした端部を有する、形態８に記載の自動ロック式留め具。
［形態１０］
前記回転カムグリッパーが軸受け穴を含み、前記軸受け穴は、前記回転カムグリッパーに非対称に配置してあり、前記留め具本体から延びる軸が入るように構成されている、形態９に記載の自動ロック式留め具。
［形態１１］
前記軸受け穴は、前記尖らせ、幅を狭くした端部から遠位にある、形態１０に記載の自動ロック式留め具。
［形態１２］
前記自動ロック式留め具は、前記自動ロック式を物体に引っ掛けるためのフック部分を含む、形態１１に記載の自動ロック式留め具。
［形態１３］
前記フック部分がカラビナゲートを含む、形態１２に記載の自動ロック式留め具。
［形態１４］
前記非対称な取り付けは、前記回転カムグリッパーが前記第１の保持面を通り過ぎて回転することを前記回転カムグリッパーと前記第１の保持面との間の接触によって防止する、形態１３に記載の自動ロック式留め具。
［形態１５］
前記回転カムグリッパーが、前記第１の保持面と相互作用をする部分に第２の保持面を有する、形態１４に記載の自動ロック式留め具。
［形態１６］
前記ひもを第１の方向に引っ張ると、前記回転カムグリッパーが前記第１の保持面の方へ回転して前記ひもをさらに保持するような向きに前記回転カムグリッパーが向けられている、形態１５の自動ロック式留め具。
［形態１７］
留め具本体と、回転カムグリッパーと、ばね腕部と、前記留め具本体の穴に配置された切り欠き部とを含む自動ロック式留め具用意するステップであって、前記回転カムグリッパーは前記留め具本体に軸回転可能に取り付けられ、前記ばね腕部は、前記留め具本体と一体であり、前記回転カムグリッパーに張力を与えることで前記留め具本体の第１の保持面に押し付けるように前記回転カムグリッパーを保持するように構成され、前記回転カムグリッパーが非対称に取り付けられていて、前記回転カムグリッパーが第１の方向に回転すると、前記回転カムグリッパーが前記ばね腕部の方へ延び、前記ばね腕部を曲げるように前記回転カムグリッパーが構成されている、ステップと、
前記ひもを前記切り欠き部の上に通し、かつ、前記穴に通すステップと、
前記ひもを前記回転カムグリッパーおよび前記第１の保持面の間に第１の方向に通すステップと、
前記ひもを前記第１の方向とは逆の第２の方向に引っ張るステップと、
前記回転カムグリッパーおよび前記第１の保持面で前記ひもを所定位置に自動的にロックするステップであって、「自動的」とは使用者が前記自動ロック式留め具に触る必要がないことを意味するステップとを含むひもを動かなくする方法。
［形態１８］
留め具本体と、
前記留め具本体に軸回転可能に取り付けられた回転カムグリッパーと、
前記留め具本体と一体であり、前記回転カムグリッパーが前記留め具本体の第１の保持面に保持されるように前記回転カムグリッパーに張力を与えるよう構成されたばね腕部であって、前記回転カムグリッパーが非対称に取り付けられており、前記回転カムグリッパーが第１の方向に回転したときに、前記回転カムグリッパーが前記ばね腕部の方へ延び、前記ばね腕部を曲げるように前記回転カムグリッパーが構成されているばね腕部と、
前記留め具本体の穴に配置された切り欠き部とを備える自動ロック式留め具。
［形態１９］
前記自動ロック式留め具はキャッチリップを含み、前記キャッチリップはチャネルに合う大きさに作られており、前記キャッチリップは前記回転カムグリッパーおよび前記回転カムグリッパーの回転方向に垂直に延びるように構成されていて、前記ばね腕部を前記回転カムグリッパーから引き離すことなく前記回転カムグリッパーを前記留め具本体から取り去ることができないようになっている、形態１８に記載の自動ロック式留め具。
［形態２０］
前記回転カムグリッパーは軸受け穴を含み、前記軸受け穴は、前記回転カムグリッパーに非対称に配置され、前記留め具本体から延びる軸が入るように構成されている、形態１９に記載の自動ロック式留め具。
［形態２１］
留め具本体と、
前記留め具本体に軸回転可能に取り付けられた第１の回転カムグリッパーと、
前記留め具本体と一体であり、前記第１の回転カムグリッパーが前記留め具本体の第１の保持面に保持されるよう前記第１の回転カムグリッパーに張力を与えるように構成された第１のばね腕部であって、前記第１の回転カムグリッパーが非対称に取り付けられていて、前記第１の回転カムグリッパーが反時計方向に回転したときに、前記回転カムグリッパーが前記第１のばね腕部の方へ延び、前記第１のばね腕部を曲げるように、かつ、前記第１の回転カムグリッパーが時計方向に回転したときに、前記第１の回転カムグリッパーが前記第１の保持面を押圧するように前記第１の回転カムグリッパーが構成されている第１のばね腕部と、
前記留め具本体の穴に配置されている切り欠き部と、
前記留め具本体に軸回転可能に取り付けられた第２の回転カムグリッパーと、
前記留め具本体と一体であり、前記第２の回転カムグリッパーが前記留め具本体の第２の保持面に保持されるよう前記回転カムグリッパーに張力を与えるように構成された第２のばね腕部であって、前記第２の回転カムグリッパーが非対称に取り付けられていて、前記第２の回転カムグリッパーが時計方向に回転したときに、前記第２の回転カムグリッパーが前記第２のばね腕部の方へ延び、前記第２のばね腕部を曲げるように、かつ、前記第２の回転カムグリッパーが反時計方向に回転したときに、前記第２の回転カムグリッパーが前記第２の保持面を押圧するように前記第２の回転カムグリッパーが構成されていて、前記第１および第２のカムグリッパーが前記留め具本体の反対の端部に向けられている第２のばね腕部とを備える自動ロック式留め具。
【図１】
0006026430.tif 000002
【図２】
0006026430.tif 000003
【図３】
0006026430.tif 000004
【図４】
0006026430.tif 000005
【図５】
0006026430.tif 000006
【図６】
0006026430.tif 000007
【図７】
0006026430.tif 000008
【図８】
0006026430.tif 000009
【図９】
0006026430.tif 000010
【図１０】
0006026430.tif 000011
【図１１】
0006026430.tif 000012
【図１２】
0006026430.tif 000013
【図１３】
0006026430.tif 000014
【図１４】
0006026430.tif 000015
【図１５】
0006026430.tif 000016
【図１６】
0006026430.tif 000017
【図１７】
0006026430.tif 000018